(57)【特許請求の範囲】
【請求項１】
周方向に複数のスロットを有する固定子コアと、
該スロットに設置されている固定子巻線と、
を備える回転電機の固定子において、
該固定子巻線は、周方向の異なる前記スロットに設置されているスロット収容部と、該スロットの外部で該スロット収容部同士を接続しているターン部と、を有し、
該ターン部は、該固定子コアの端面に平行な段部を有するとともに、
該固定子コアの軸方向に複数設けられた該段部の数が互いに異なる第１のターン部と、第２のターン部と、を有することを特徴とする回転電機の固定子。
【請求項２】
前記第１のターン部と前記第２のターン部とが周方向に隣り合った前記スロットから突出している請求項１記載の回転電機の固定子。
【請求項３】
前記ターン部は、前記固定子コアから最も離れた位置にクランク形状に形成されたクランク部を有する請求項１〜２のいずれか１項に記載の回転電機の固定子。
【請求項４】
前記クランク部は、前記線材の幅分だけ前記固定子コアの径方向にずれている請求項３記載の回転電機の固定子。
【請求項５】
前記ターン部は、周方向に隣接した別のターン部と軸方向に重なるように配置されている請求項１〜４のいずれか１項に記載の回転電機の固定子。
【請求項６】
前記固定子巻線は、断面形状が矩形状である請求項１〜５のいずれか１項に記載の回転電機の固定子。
【請求項７】
前記固定子巻線は、前記固定子コアの全周にわたって連続して配設されている請求項１〜６のいずれか１項に記載の回転電機の固定子。
【請求項８】
請求項１〜７のいずれか１項に記載の回転電機の固定子と、
該回転電機の固定子の内周側または外周側に、周方向に交互に異なる磁極を形成している回転子と、
を備えたことを特徴とする回転電機。
【発明の詳細な説明】
【技術分野】
【０００１】
本発明は、回転電機の固定子およびその固定子を用いた回転電機に関する。
【背景技術】
【０００２】
近年、電動機および発電機として使用される回転電機において、小型高出力および品質の向上が求められている。
【０００３】
例えば、車両に搭載される回転電機においては、車両のエンジンルームで回転電機を搭載するためのスペースが小さくなってきている一方で、車両負荷の増大による発電出力の向上が求められている。
【０００４】
特に、回転電機の小型高出力については、各相巻線の巻線抵抗値の低減、固定子の磁気回路内に納める電気導体の占積率の向上、さらには各相巻線のターン部の整列化および高密度化が必要であった。
【０００５】
この要求に対して、周方向に複数のスロットを有する固定子コアと、線材により形成されスロットに設置されている固定子巻線と、を備え、固定子巻線が、周方向の異なるスロットに設置されているスロット収容部と、スロットの外部で該スロット収容部同士を接続しているターン部と、を有する回転電機の固定子を用いた回転電機が検討されている。そして、この回転電機では、固定子コアの端面に沿ってのびる段部をターン部に形成することで、ターン部を密に配置して、固定子巻線のターン部の固定子コアからの突出高さを短くしている。
【０００６】
このようにターン部が密に配置された回転電機（の固定子）では、固定子をＡＴＦ等の冷媒で冷却するときに、ターン部同士が当接したことで、冷媒がターン部の内部に十分に侵入しないという問題があった。冷媒が十分に侵入しなくなると、固定子巻線の冷却が十分ではなくなるおそれがある。
【発明の開示】
【発明が解決しようとする課題】
【０００７】
本発明は上記実状に鑑みてなされたものであり、冷却性に優れた回転電機の固定子及び回転電機を提供することを課題とする。
【課題を解決するための手段および効果】
【０００８】
上記課題を解決するために、本発明者は、回転電機の固定子巻線のターン部のうち、隣接するスロットに収容されたスロット収容部に接続した二つのターン部の形状を異なるものとすることで、上記課題を解決できることを見出した。
【０００９】
すなわち、請求項１に記載の本発明の回転電機の固定子は、周方向に複数のスロットを有する固定子コアと、スロットに設置されている固定子巻線と、を備える回転電機の固定子において、固定子巻線は、周方向の異なるスロットに設置されているスロット収容部と、スロットの外部でスロット収容部同士を接続しているターン部と、を有し、ターン部は、固定子コアの端面に平行な段部を有するとともに、固定子コアの軸方向に複数設けられた段部の数が互いに異なる第１のターン部と、第２のターン部と、を有することを特徴とする。
【００１０】
本発明の回転電機の固定子は、隣接する二つのターン部の段部の数が異なっている。つまり、隣接する二つのターン部が異なる形状となっている。この結果、隣接する二つのターン部がお互いの対向面が当接する場合でも、形状が異なることにより対向面の全面が当接しなくなる。つまり、隣接する二つのターン部の間に空隙が形成される。この空隙を冷媒が通過することで、固定子巻線のターン部（コイルエンド）が冷却される。このように、本発明の回転電機の固定子は、冷却性に優れたものとなっている。
【００１１】
請求項２に記載の本発明の回転電機の固定子は、請求項１において、第１のターン部と第２のターン部とが周方向に隣り合ったスロットから突出していることを特徴とする。このような構成となることで、周方向に隣り合うスロットから突出する第１のターン部と第２のターン部とが干渉することが防止される。
【００１５】
請求項３に記載の本発明の回転電機の固定子は、請求項１〜２のいずれか１項において、ターン部は、固定子コアから最も離れた位置にクランク形状に形成されたクランク部を有することを特徴とする。このような構成となることで、周方向に隣り合うスロットから突出する二つのターン部の径方向での位置がずれて、ターン部同士の干渉を抑えることができる。
【００１７】
請求項４に記載の本発明の回転電機の固定子は、請求項３において、クランク部は、線材の幅分だけ固定子コアの径方向にずれていることを特徴とする。このような構成によると、固定子巻線の線材を密に配設することができ、固定子巻線の径方向幅を小さくすることができる。
【００１８】
請求項５に記載の本発明の回転電機の固定子は、請求項１〜４のいずれか１項において、ターン部は、周方向に隣接した別のターン部と軸方向に重なるように配置されていることを特徴とする。このような構成によると、周方向に隣り合うスロットから突出する二つのターン部同士の干渉を抑えることができる。
【００１９】
請求項６に記載の本発明の回転電機の固定子は、請求項１〜５のいずれか１項において、線材は、断面形状が矩形状であることを特徴とする。このような構成となることで、線材を密に配置することができる。
【００２０】
請求項７に記載の本発明の回転電機の固定子は、請求項１〜６のいずれか１項において、線材は、固定子コアの全周にわたって連続して配設されていることを特徴とする。このような構成となることで、固定子巻線の製造コストが低減すると共に、電気的接続箇所に腐食等が発生することを低減できる。
【００２５】
また、請求項８に記載の本発明の回転電機は、請求項１〜７のいずれか１項に記載の回転電機の固定子と、回転電機の固定子の内周側または外周側に、周方向に交互に異なる磁極を形成している回転子と、を備えたことを特徴とする。
【００２６】
本発明の回転電機は、上記した回転電機の固定子を用いてなるものである。そして、上記の固定子が固定子巻線の冷却性に優れたものであることから、本発明の回転電機も、固定子巻線の過熱による特性の低下が抑えられたものとなっている。
【発明を実施するための最良の形態】
【００２７】
以下に本発明の回転電機の固定子および回転電機を、実施の形態を用いてより具体的に説明する。
【００２８】
（実施形態例）
本実施形態の回転電機の構成を図１に示した。本実施形態の回転電機１は、略有底筒状の一対のハウジング部材１００，１０１とが開口部同士で接合されてなるハウジング１０と、ハウジング１０に軸受け１１０，１１１を介して回転自在に支承される回転軸２０に固定された回転子２と、ハウジング１０の内部で回転子２を包囲する位置でハウジング１０に固定された固定子３と、を備えている。
【００２９】
回転子２は、永久磁石により周方向に交互に異なる磁極を、固定子３の内周側と向き合う外周側に複数形成している。回転子２の磁極の数は、回転電機により異なるため限定されるものではない。本実施形態においては、８極（Ｎ極：４、Ｓ極：４）の回転子が用いられている。
【００３０】
固定子３は、図２に示したように、固定子コア３０と、複数の各相巻線から形成される三相の固定子巻線４と、固定子コア３０と固定子巻線４との間に配された絶縁紙５と、を備えた構成を有している。
【００３１】
固定子コア３０は、図３に示したように、内周に複数のスロット３１が形成された円環状を有している。複数のスロット３１は、その深さ方向が径方向と一致するように形成されている。固定子コア３０に形成されたスロット３１の数は、回転子２の磁極数に対し、固定子巻線４の一相あたり２個の割合で形成されている。すなわち、８×３×２＝４８個のスロット３１が形成されている。
【００３２】
固定子コア３０は、図４に示した分割コア３２を２４個、周方向に配設して形成されている。分割コア３２は、ひとつのスロット３１を区画するとともに、周方向で隣接する分割コア３２との間でひとつのスロットを区画する形状（径方向内方に伸びるティース部３２０と、ティース部３２０が形成されるバックコア部３２１）に形成されている。
【００３３】
固定子コア３０（を構成する分割コア３２）は、０．３ｍｍの厚さの電磁鋼板４１０枚を積層させて形成されている。なお、積層された電磁鋼板の間には、絶縁薄膜が配置されている。なお、固定子コア３０は、この電磁鋼板の積層体からだけでなく、従来公知の金属薄板および絶縁薄膜を用いて形成してもよい。
【００３４】
固定子巻線４は、複数の巻線（線材）４０を所定の巻回方法で巻回してなる。固定子巻線４を構成する巻線４０は、図５（Ａ）に示したように、銅製の導体４１と、導体４１の外周を覆い導体４１を絶縁する内層４２０及び外層４２１からなる絶縁皮膜４２とから形成されている。内層４２０および外層４２１を合わせた絶縁皮膜４２の厚みは、１００μｍ〜２００μｍの間に設定されている。このように、内層４２０および外層４２１からなる絶縁皮膜４２の厚みが厚いので、巻線４０同士を絶縁するために巻線４０同士の間に絶縁紙等を挟み込んで絶縁する必要がなくなっているが、図２に示したように、線材同士を絶縁するために絶縁紙５を配してもよい。
【００３５】
さらに、固定子巻線４の巻線４０は、図５（Ｂ）に示したように、内層４２０および外層４２１からなる絶縁皮膜４２の外周をエポキシ樹脂等からなる融着材４８で被覆してもよい。これにより、回転電機に発生する熱により融着材４８は絶縁皮膜４２よりも早く溶融するので、同じスロット３１に設置されている複数の巻線４０同士が融着材４８同士により熱接着する。その結果、同じスロット３１に設置されている複数の巻線４０が一体化し巻線４０同士が鋼体化することで、スロット３１の巻線４０の機械的強度が向上する。
【００３６】
固定子巻線４は、図６に示したように、それぞれ二本の三相巻線（Ｕ１，Ｕ２，Ｖ１，Ｖ２，Ｗ１，Ｗ２）により形成されている。
【００３７】
固定子巻線４は、図７〜９に示したように、複数の巻線４０を所定の形状に巻回してなる。固定子巻線４を構成する巻線４０は、固定子コア３０の内周側で周方向にそって波巻きされている。そして、固定子コア３０に形成されたスロット３１に収容される直線状のスロット収容部４３と、隣り合ったスロット収容部４３同士を接続するターン部４４と、を備えている。スロット収容部４３は、所定のスロット数（本実施形態では３相×２個＝６個）ごとのスロット３１に収容されている。ターン部４４は、固定子コア３０の軸方向の端面から突出して形成されている。
【００３８】
そして、固定子巻線４は、複数の巻線４０をその端部が固定子コア３０の軸方向の端面から突出した状態で、周方向に沿って波状に巻装して形成されている。固定子巻線４の１相は、周方向に沿って波状に巻装された２本の巻線４０ａ，４０ｂを他方の端部同士で接続されている。つまり、巻線４０は、第一の巻線部４０ａと第二の巻線部４０ｂとが接続された構成を有している。２本の巻線４０ａ，４０ｂは、同一スロット３１にスロット収容部４３が収容される。このとき、第一の巻線部４０のスロット収容部４３と、第二の巻線部のスロット収容部４３は、スロット３１の深さ方向で交互にスロット収容部４３が位置するように設置されている。
【００３９】
固定子巻線４においては、この２本の巻線４０ａ，４０ｂを接合して形成された接合体を２個で１相をなしている。この２本の巻線４０を接合して形成された接合体を６組用いて３相（Ｕ，Ｖ，Ｗ）×２個（倍スロット）の固定子巻線４を形成している。つまり、固定子巻線４は、２本の巻線４０ａ，４０ｂ×３相（Ｕ，Ｖ，Ｗ）×２個（倍スロット）＝１２本の巻線４０を用いて形成されている。
【００４０】
本実施形態においては、２本の巻線４０を接合して形成された接合体は、周方向で４周巻回して固定子巻線４を形成している。すなわち、固定子巻線４は、２本の巻線４０を接合して形成された接合体が径方向で４層重なった構成となっている。つまり、ひとつのスロット３１内に４層×２本＝８本のスロット収容部４３が配置されている。２本の巻線４０を接合して形成された接合体を巻回した固定子巻線４は、接合体の端部が最外周層側に位置し、二本の巻線４０の接合部が最内周層側に位置するように、接合体を巻回している。
【００４１】
固定子巻線４のターン部４４は、固定子コア３０の軸方向両側にそれぞれ形成されている。
【００４２】
本実施形態において、固定子巻線４のターン部４４は、固定子コア３０の軸方向の端面に沿ってのびる段部をもつ階段状に形成されている。そして、固定子巻線４のターン部４４は、軸方向に段部を３段で持つ第一のターン部４４ａと、軸方向に段部を２段で持つ第二のターン部４４ｂと、から形成されている。
【００４３】
階段状の第一のターン部４４ａは、３段の階段状に形成されている。そして、３段の階段状の第一のターン部４４ａの一段の高さは、巻線４０の略幅（高さ）分である。
【００４４】
階段状の第一のターン部４４ａは、固定子コア３０から最も離れた位置に、周方向でクランク状に形成されたクランク部が形成されている。クランク部は、固定子コア３０の端面に平行にのびている。
【００４５】
階段状の第二のターン部４４ｂは、２段の階段状に形成されている。そして、２段の階段状の第二のターン部４４ｂの二つの段部の間の高さは、巻線４０の略幅（高さ）の二倍分である。第二のターン部４４ｂの二つの段部の間は、巻線４０が二つの段部を接続するように斜め方向にのびている。
【００４６】
階段状の第二のターン部４４ｂは、第一のターン部４４ａと同様に、固定子コア３０から最も離れた位置に、周方向でクランク状に形成されたクランク部が形成されている。クランク部は、固定子コア３０の端面に平行にのびている。
【００４７】
巻線４０のターン部４４ａ，ｂのそれぞれは、クランク部を挟んで両側が対称な形状に形成されている。
【００４８】
本実施形態においては、第一のターン部４４ａと第二のターン部４４ｂとが周方向で隣り合ったスロットから突出している。これにより、周方向に隣接するスロットから突出する巻線４０同士が互いに干渉することを避けるために、固定子巻線４の固定子コア３０の端面から突出した固定子巻線エンドの高さが高くなったり、あるいは固定子巻線エンドの径方向の幅が大きくなることを防止できる。その結果、固定子巻線エンドの高さが低くなる。さらに、固定子巻線エンドの径方向の幅が小さくなるので、固定子巻線４が径方向外側に張り出すことを防止できる。
【００４９】
また、本実施形態においては、図８〜９に示したように、第一のターン部４４ａと第二のターン部４４ｂとの間には、二つのターン部４４ａ，ｂの形状の違いにより、すき間が形成されている。
【００５０】
本実施形態の回転電機１では、ハウジング１０内を冷媒が流れる。そして、ハウジング１０内を流れる冷媒は、二つのターン部４４ａ，ｂの間のすき間を通過し、巻線４０のターン部４４（コイルエンド）が冷却される。このように、本実施形態の回転電機１では、冷媒がターン部４４の内部まで冷却することができる。
【００５１】
固定子巻線４は、スロット収容部４３とターン部４４とが交互に繰り返されるとともに、互いに巻装方向が異なる二つの巻線４０をもつ成形体を各相（Ｕ１，Ｕ２，Ｖ１，Ｖ２，Ｗ１，Ｗ２）ごとに、６組用いて形成されている。二つの巻線のそれぞれは、中性点側の端部および相端子側の端部とは反対の端部側が、スロット収容部４３を介して接続されている。各相の巻線４０の結線方法は同様である。
【００５２】
固定子巻線４は、スロット収容部４３とターン部４４とが交互に繰り返されるとともに互いに巻装方向が異なる二本が接合された構成の巻線４０の略帯状の成形体を形成し、この成形体を折り返し部が軸心側に位置するように所定の巻き数（たとえば、４回）に巻回して製造される。製造された固定子巻線４は、各相の巻線４０のスロット収容部４３が径方向に並んだ状態で形成されている。このとき、径方向に並んだスロット収容部４３は、固定子巻線４の周方向で小間隔を隔てた状態で位置している。
【００５３】
本実施形態の回転電機１は、固定子巻線４の固定子コア３０の軸方向の端面から突出するターン部４４が、隣接する二つのターン部４４ａ，ｂの段部の数が異なっている。つまり、隣接する二つのターン部４４ａ，ｂが異なる形状となっている。この結果、隣接する二つのターン部４４ａ，ｂの間に空隙が形成される。この空隙を冷媒が通過することで、固定子巻線４のターン部（コイルエンド）４４が冷却される。この結果、本実施形態の回転電機１は、固定子３のターン部（コイルエンド）４４が冷却性に優れたものとなっていることから、過熱による性能の低下が抑えられた回転電機となっている。
【００５４】
また、本実施形態の回転電機１の固定子３の固定子巻線４は、二つのターン部４４ａ，ｂの段部の数を変化させただけであり、固定子コア３０から突出するターン部４４の突出高さを高くすることなく小型化を達成できるものとなっている。つまり、本実施形態の回転電機１は、体格の粗大化が抑えられた回転電機となっている。
【図面の簡単な説明】
【００５５】
【図１】実施形態の回転電機の構成を示した図である。
【図２】実施形態の回転電機の固定子の斜視図である。
【図３】実施形態の回転電機の固定子のコアを示した図である。
【図４】実施形態の回転電機の固定子のコアを構成するコア分体を示した図である。
【図５】実施形態の回転電機の固定子巻線を構成する各相巻線の構成を示す断面図である。
【図６】実施形態の回転電機の固定子巻線の結線を示した図である。
【図７】実施形態の回転電機の固定子の斜視図である。
【図８】実施形態の回転電機の固定子の部分拡大図である。
【図９】実施形態の回転電機の固定子の側面の部分拡大図である。
【符号の説明】
【００５６】
１：回転電機                        １０：ハウジング
１１０，１１１：軸受け
２：回転子                          ２０：回転軸
３：固定子                          ３０：固定子コア
３１，３１ａ〜ｈ：スロット          ３２：分割コア
４：固定子巻線                      ４０：各相巻線
４１：導体                          ４２：絶縁皮膜
４３：スロット収容部                ４４：ターン部
４８：融着材
５：絶縁紙
【図１】
0004623129.tif 000002
【図２】
0004623129.tif 000003
【図３】
0004623129.tif 000004
【図４】
0004623129.tif 000005
【図５】
0004623129.tif 000006
【図６】
0004623129.tif 000007
【図７】
0004623129.tif 000008
【図８】
0004623129.tif 000009
【図９】
0004623129.tif 000010